(57)【特許請求の範囲】
【請求項１】
セルラ通信網において移動電話加入者ユニットに向けられたパケット交換方式の音声コールを処理する方法であって、
前記移動電話加入者ユニットが回線交換動作モードにあることを判定する工程、および パケット交換方式の前記音声コール中の情報を前記移動電話加入者ユニット以外の目的地へ転送する工程であって、当該転送する工程は前記パケット交換方式の音声コールの発信地と目的地との間でパケット交換方式の音声セッションを実行し、当該実行する工程は音声パケットの前記発信地から前記目的地に向けられた発信地アドレスを変更することを含む工程、
を含む方法。
【請求項２】
請求項第１項記載の方法であって、ここにおいて、前記転送工程が、パケット交換方式の前記音声コールをパケット交換方式の音声メールボックスへ転送する工程を含んでいる方法。
【請求項３】
請求項第１項記載の方法であって、ここにおいて、前記転送工程が、パケット交換方式の前記音声コールをインターネット・ホストへ転送する工程を含んでいる方法。
【請求項４】
請求項第１項記載の方法であって、ここにおいて、前記目的地アドレスを変更する工程が、ＧＰＭＳＣを使用して前記音声パケットの目的地アドレスを変更する工程を含んでいる方法。
【請求項５】
請求項第４項記載の方法であって、ここにおいて、前記発信地がインターネット・ホストである方法。
【請求項６】
請求項第５項記載の方法であって、ここにおいて、前記目的地がパケット交換方式の音声メールボックスである方法。
【請求項７】
請求項第５項記載の方法であって、ここにおいて、前記目的地が別のインターネット・ホストである方法。
【請求項８】
請求項第１項記載の方法であって、ここにおいて、前記実行工程が、前記目的地から前記発信地へ向けた音声パケットの目的地アドレスを変更する工程を含んでいる方法。
【請求項９】
請求項第１項記載の方法であって、ここにおいて、前記実行工程が、前記目的地から前記発信地へ向けた音声パケットの発信地アドレスを変更する工程を含んでいる方法。
【請求項１０】
請求項第４項記載の方法であって、ここにおいて、前記実行工程が、前記目的地から前記発信地へ向けた音声パケットの目的地アドレスを変更する工程を含んでいる方法。
【請求項１１】
請求項第１０項記載の方法であって、ここにおいて、前記複数の変更工程が、ＧＰＭＳＣを使用して前記複数のアドレスを変更する工程を含んでいる方法。
【請求項１２】
請求項第１１項記載の方法であって、ここにおいて、前記発信地がインターネット・ホストである方法。
【請求項１３】
請求項第１２項記載の方法であって、ここにおいて、前記目的地がパケット交換方式の音声メールボックスである方法。
【請求項１４】
請求項第１２項記載の方法であって、ここにおいて、前記目的地が別のインターネット・ホストである方法。
【請求項１５】
セルラ通信網において移動電話加入者ユニットに向けられたパケット交換方式の音声コールを処理する方法であって、
前記移動電話加入者ユニットが回線交換動作モードにあることを判定する工程、
前記移動電話加入者ユニットにパケット交換方式の前記音声コールを通知する工程、
前記パケット交換式の音声コール中の前記情報を前記移動電話加入者ユニット以外の目的地に送り、および
前記パケット交換式の音声コールの発信地から目的地との間でのパケット交換式の音声セッションを実行し、当該実行するステップは発信地から目的地に向かう音声パケットの発信地アドレスを変更することを含むステップである、
を含む方法。
【請求項１６】
請求項１５項記載の方法であって、前記実行する工程は前記パケット交換式の音声コールをパケット交換式の音声メイルボックスに伝送することを含む方法。
【請求項１７】
請求項１５項記載の方法であって、前記実行する工程は前記パケット交換式の音声コールをインターネット・ホストへ転送することを含む方法。
【請求項１８】
請求項１項記載の方法であって、ここにおいて、パケット交換方式の前記音声コールがＩＰ音声コールである方法。
【請求項１９】
請求項１５項記載の方法であって、ここにおいて、パケット交換方式の前記音声コールがＩＰ音声コールである方法。
【請求項２０】
セルラ通信網の移動電話加入者ユニットに向けられたパケット交換方式の音声コール中の情報を処理するための交換装置であって、
パケット交換式の音声コール受信するための１つの入力、
もう１つの入力であって、前記移動電話加入者が回線交換式の音声コールでビジーであるか否かを示す情報を受信する入力と、
１つの出力であって、前記移動電話加入者ユニットが回線交換方式の音声コールでビジーである時に、前記移動電話加入者ユニット以外の目的地へパケット交換方式の前記音声コール中の情報を、それを介して転送するための１つの出力、とを備えた交換装置において、
前記出力は前記パケット交換式の音声コールの発信地と目的地との間でパケット交換式の音声セッションを実行するよう動作可能であり、前記交換装置は前記発信地から目的地へ向かう音声パケットの発信地アドレスを変更するよう調整された交換装置。
【請求項２１】
請求項第２０項記載の交換装置であって、ここにおいて、パケット交換方式の前記音声コールがＩＰ音声コールである交換装置。
【請求項２２】
セルラ通信網の移動電話加入者ユニットに向けられたパケット交換方式の音声コール中の情報を処理するための交換装置であって、
パケット交換式の音声コールを受信するための１つの入力、
もう１つの入力であって、前記移動電話加入者が回線交換式の音声コールでビジーであるか否かを示す情報を受信する入力と、
１つの出力であって、前記移動電話加入者ユニットが回線交換方式の音声コールでビジーである時には、当該移動電話加入者ユニットに回線交換式音声コールが待機していることを通知する出力と、を含む交換装置において、
前記出力は前記パケット交換式の音声コールの発信地と目的地との間でパケット交換式の音声セッションを実行するよう動作可能であり、前記交換装置は前記発信地から目的地へ向かう音声パケットの発信地アドレスを変更するよう調整された交換装置。
【請求項２３】
請求項第２２項記載の交換装置であって、ここにおいて、パケット交換方式の前記音声コールがＩＰ音声コールである交換装置。
【発明の詳細な説明】
【０００１】
（発明の分野）
本発明は一般的にセルラ通信網での通信の経路選択に関するものであって、更に詳細には、セルラ通信網中の移動電話加入者ユニットに向けたパケット交換方式の音声コールに関する経路選択に関する。
【０００２】
（発明の背景）
図１は従来のセルラ通信網、例えばパーソナル・デジタル・セルラ・システムのアーキテクチャを示す。移動局または移動電話加入者ユニットＭＳはセルラ通信網中で回線交換通信およびパケット交換通信の両方を実行することができる。更に、このセルラ通信網は回線交換接続経由およびパケット交換経由での音声通信をサポートする。移動電話加入者ユニットは、通信網には知れている、例えばインターネット・プロトコル（ＩＰ）アドレスのような固定アドレスを有するのが一般的である。移動電話加入者ユニットにつながるデータ端末装置（ＤＴＥ）は、そのＩＰアドレスで構成（コンフィギュア）される。
【０００３】
ゲートウェイパケット移動通信交換局（ＧＰＭＳＣ）がインターネット・ホストＩＨからインターネット経由で入力するＩＰ音声パケットを受信すると、ＧＰＭＳＣはホーム・ロケーション・レジスタＨＬＲおよび在圏移動通信交換局ＶＭＳＣと一緒に、そのＩＰ音声パケットの宛先である移動電話加入者ユニットＭＳが既に回線交換（ＣＳ）コールでビジーであるかどうかを調べる。ＨＬＲはＧＰＭＳＣに対してその移動電話加入者ユニットがパケット・モードにあるかどうかを伝え、またＶＭＳＣはＧＰＭＳＣに対してその移動電話加入者ユニットがＣＳモードにあるかアイドル状態であるかを伝える。その移動電話加入者ユニットが既にＣＳコールでビジーであることが分かると、その移動電話加入者ユニットに宛てた入力のＩＰ音声パケットは受け取り拒否されよう。他方、もしその移動電話加入者ユニットが回線交換コールでビジーでなければ、ＧＰＭＳＣはＭＳ／ＤＴＥへのパケット・チャネルをセットアップして、インターネット・ホストＩＨと移動電話加入者ユニットとの間でＩＰ音声セッションが確立できる。
【０００４】
図１には、在圏パケット移動通信交換局ＶＰＭＳＣ、ゲートウェイ移動通信交換局ＧＭＳＣ、公衆電話交換網ＰＳＴＮ、総合デジタル通信網ＩＳＤＮ、および無線通信網も示されており、これらはすべて従来のセルラ通信網アーキテクチャで既知の部品である。
【０００５】
上述の従来のＧＰＭＳＣの動作は図２に示されている。２１においてＩＰ音声コールが受信されると、２３において移動局が回線交換コールでビジーであるかどうかが判定される。もし移動局が回線交換コールでビジーであれば、そのＩＰ音声パケットは２５において受け取り拒否される。もし２３において移動局が回線交換コールでビジーでなければ、ＧＰＭＳＣはＭＳ／ＤＴＥへのパケット・チャネルをセットアップし、２７においてインターネット・ホストＩＨと移動電話加入者ユニットとの間にＩＰ音声セッションが確立できる。
【０００６】
以上のことから、もし音声パケットの宛先である移動電話加入者ユニットが回線交換コールでビジーであってもその音声パケットを受け取り拒否しないように、入力するパケット交換方式の音声コールを処理できることが望ましい。
【０００７】
本発明に従えば、回線交換コールでビジーである移動電話加入者ユニットに向けられたパケット交換方式の音声コールは、音声パケットの受け取り拒否なしで処理される。パケット交換方式の音声コール中の情報が移動電話加入者ユニット以外の目的地へ転送されるか、あるいは、パケット交換方式のその音声コールが待機していることが移動電話加入者ユニットに通知される。
【０００８】
（詳細な説明）
例示の図３は、本発明に従うＧＰＭＳＣ３２によるパケット交換方式の音声コールの経路選択を示すブロック図である。３０、３１、３３、３５、３７、および３９の通信リンクは、分かり易いように概念的に描かれている。パケット交換方式の音声コールは１本の通信リンクを経由してＧＰＭＳＣ３２の入力に受信される。ＧＰＭＳＣ３２はコール受信に応答して、それの出力に、例えば図３に示される部品の１つへの１本の通信リンクによって運ばれる適当な通信を供給する。当業者は以下の説明から図３の通信の実際の経路選択を容易に理解されよう。
【０００９】
これも例示の図４を参照すれば、もし２１においてＧＰＭＳＣ３２がその入力にパケット交換方式の音声コール（この例では、インターネット・ホストＩＨからのＩＰ音声コール）を受信すれば、まず２３において、移動電話加入者ユニットが回線交換コールでビジーであるかどうかが判定される。もしそうでなければ、２７において、ＧＰＭＳＣ３２はＭＳ／ＤＴＥへのパケット・チャネルをセットアップして、インターネット・ホストＩＨと移動電話加入者ユニットとの間にＩＰ音声セッションが確立できる。この音声セッションは、ＧＰＭＳＣ３２と通信リンク３１および３０とによって実行される。注意すべきことは、図４の２１、２３、および２７における動作は従来技術の図２での同じ番号の動作と同じものであることである。従って、移動電話加入者ユニットが回線交換コールでビジーでない時は、ＧＰＭＳＣ３２は入力のパケット交換方式の音声コールに対して、例示の図１および２に関して上述した従来技術のＧＰＭＳＣと同じように応答する。
【００１０】
もし２３において移動電話加入者ユニットが回線交換コールでビジーであれば、ＧＰＭＳＣ３２は図４にＢ、Ｃ、Ｄ、Ｅ、およびＦと表記した５つの例示手続きの任意の１つを実行することによって応答することができる。
【００１１】
図４にＦと表記した例示手続きは図５のコール待機手続きである。コール待機手続き中の５１において、ＧＰＭＳＣ３２は移動電話加入者ユニットにＩＰ音声コールを通知する。コール待機通知の利用は当業者には良く知られている。しかし、待機コールがパケット交換方式の音声コールであることをユーザが判断できるように、移動電話加入者ユニットに特有な通知（例えば、可聴な）を提供することは有利である。移動電話加入者ユニットのユーザはそのＩＰ音声コールを受け取るかどうかを判断する。ユーザの決定はＧＰＭＳＣへ送信され、ＧＰＭＳＣは５３において、移動電話加入者ユニットがそのＩＰ音声コールを受け取ったかどうかを判定する。もしそうでなければ、ＧＰＭＳＣは前述のＢ、Ｃ、Ｄ、およびＥと表記した手続きの任意の１つを実行する。もし移動電話加入者ユニットのユーザが、５３でそのＩＰコールを受け取れば、５５において、移動電話加入者ユニットがそのＩＰ音声コールを回線交換モードあるいはパケット交換モードのいずれで受け取ることを選んだのかが判定される。
【００１２】
もし５５で回線交換モードが選ばれれば、ＧＰＭＳＣは図５にＧと表記した例示手続きを実行する。もしパケット交換モードが選ばれれば、ＧＰＭＳＣはＭＳ／ＤＴＥへのパケット・チャネルをセットアップし、インターネット・ホストＩＨと移動電話加入者ユニットとの間にＩＰ音声セッションが確立できる（２７）。注意すべき点は、図５の２７において実行されるＩＰ音声セッションは、図２および４に示される従来のＩＰ音声セッションと同じもので構わないということである。２７においてＩＰ音声セッションが終了した後で、図５のコール待機手続きは図４の地点Ａまで進み、従って図４の判定ブロック２１へ再び入る。
【００１３】
例示の図６は図４および５にＢと表記された手続きを示す。この手続きは、図４の２３において移動電話加入者ユニットが回線交換コールでビジーであるか、あるいは図５の５３において移動電話加入者ユニットがＩＰ音声コールを受け取り拒否した時に、ＧＰＭＳＣ３２によって実行できる。図４−６にＢと表記した手続きは、インターネット・ホストＩＨとＩＰ音声メールボックスとの間のＩＰ音声セッションをセットアップするように動作する（図３参照）。図６で、ＧＰＭＳＣは、インターネット・ホストＩＨとＩＰ音声メールボックスとの間で交換されるＩＰ音声パケット中の発信地と目的地のアドレスを変更する。
【００１４】
もしＧＰＭＳＣ３２に到達するパケットがインターネット・ホストＩＨからのものであることが６１で判定されれば、ＧＰＭＳＣは６３においてそのパケット中の目的地アドレスをＩＰ音声メールボックスのアドレスに変更し、更にそのパケットの発信地アドレスをＤＥＴのアドレスに変更する。注意すべき点は、インターネット・ホストＩＨから受信する目的地アドレス、それは６３においてＩＰ音声メールボックスアドレスに変更されるのであるが、それがＤＴＥアドレスであるということである。同様に、インターネット・ホストＩＨから受信する発信地アドレス、これは６３においてＤＴＥアドレスで置き換えられるのであるが、これがインターネット・ホストＩＨのアドレスであることにも注意されたい。目的地アドレスはＩＰ音声メールボックス・アドレスに変更されるため、そのパケットはＩＰ音声メールボックスへ経路選択される。また発信地アドレスは、ＩＰ音声メールボックスが移動電話ユーザの識別のためにそのアドレスを必要とするためＤＴＥアドレスへ変更される。発信地アドレスおよび目的地アドレスが６３で変更された後、パケットは６５で解放される。
【００１５】
その後６７において、ＩＰ音声セッション中にその他のパケットが残っているかどうかが判定される。もしそうであれば、判定ブロック６１へ制御が戻る。もしそうでなければ、制御は図４の地点Ａへ進み、従って図４の判定ブロック２１へ再び入る。もしＧＰＭＳＣが６１においてＩＰ音声メールボックスからのパケットを受信すれば、６９においてＧＰＭＳＣ３２はそのパケットの目的地アドレスをインターネット・ホストＩＨのアドレスに変更し、更に、そのパケットの発信地アドレスをＤＴＥアドレスに変更する。注意すべき点は、ＩＰ音声メールボックスからＧＰＭＳＣ３２に受信されるパケットは目的地アドレスとしてＤＴＥアドレスを有し、発信地アドレスとしてＩＰ音声メールボックス・アドレスを有するであろうことである。ＩＰ音声メールボックスによって供給されるこれらのアドレスは、ＩＰ音声メールボックスとインターネット・ホストＩＨとの間のＩＰ音声セッションを促進するために６９において変更される。６９におけるアドレス変更の後で、上述のようにパケットは６５において解放される。
【００１６】
図６についての以上の説明から分かるように、ＧＰＭＳＣはＩＰの発信地および目的地アドレスを翻訳するプロキシ・サーバとして働く。インターネット・ホストＩＨから受信されるパケットはそれらを（ＤＴＥの代わりに）ＩＰ音声メールボックスへ経路選択されるように、それらの目的地アドレスを変更される。更に、それらの発信地アドレスも、ＩＰ音声メールボックスがそれらをＤＴＥに関連するパケットとして識別できるように変更される。本発明に従えば、ＩＰ音声メールボックスは、例えば、そのＩＰ音声メールボックスを使用するすべての移動局のＭＳ／ＤＴＥアドレスを含む検索テーブルを含むことができる。ＩＰ音声メールボックスが音声パケットを受信すると、それはまずそのパケットの発信地アドレスをテーブル中のＭＳ／ＤＴＥアドレス索引と比較する。もし一致するＭＳ／ＤＴＥアドレスがテーブルに見つかれば、ＩＰ音声メールボックスはそのパケットを、一致したＭＳ／ＤＴＥアドレスに関連するメールボックスに記憶する。もし一致が見つからなければ、ＩＰ音声メールボックスはそのパケットを破棄する。ここで注意すべき点は、望むらくは、ＩＰ音声メールボックスがＧＰＭＳＣ３２に対して物理的に、例えば、それらの間で交換されるパケットがインターネット中を渡り歩く必要のないように接近してつながれているべきであるということである。
【００１７】
更に理解されるであろうように、ＩＰ音声メールボックスからＧＰＭＳＣに受信されるパケットはそれらがインターネット・ホストＩＨ（ＤＴＥの代わりに）へ経路変更できるようにそれらの目的地アドレスを変更されており、またそれらの発信地アドレスも、インターネット・ホストＩＨがそれらをＤＴＥからのパケットとして受け取ることを許容するように変更されている。ＧＰＭＳＣ３２はＩＰ音声メールボックスにとってパケットがＤＴＥからではなくインターネット・ホストＩＨからのものであるかのように見せ、またインターネット・ホストＩＨにとってはそれらがＤＴＥからではなくＩＰ音声メールボックスからのパケットであるかのように見せる。このアドレスのマッピング操作はインターネット・ホストＩＨとＩＰ音声メールボックスとの間のＩＰ音声セッションを促進する。
【００１８】
図７は、移動電話加入者ユニットが図４の２３においてビジーであるか、あるいは移動電話加入者ユニットが図５の５３においてＩＰ音声コールを受け取り拒否する場合の、ＧＰＭＳＣ３２の別の応答例を示している。図７の手続きは図４、５、および７にＣと表記してある。図７で、ＧＰＭＳＣ３２はインターネット・ホストＩＨとインターネット・ホストＩＨ１との間のＩＰ音声セッションをセットアップおよび実行する（図３参照）。もし７１でインターネット・ホストＩＨからパケットが受信されれば、そのパケットの目的地アドレスおよび発信地アドレスが７３において変更される。具体的には、そのパケットの目的地アドレスはインターネット・ホストＩＨ１のアドレスに変更され、またそのパケットの発信地アドレスはＧＰＭＳＣ３２のアドレスに変更される。注意すべき点は、元々インターネット・ホストＩＨから受信された目的地アドレスはＤＴＥアドレスであったもので、また発信地アドレスもインターネット・ホストＩＨのアドレスであったものであるということである。７３においてアドレスが変更された後で、パケットは７５において解放される。その後７７において、ＧＰＭＳＣは経路選択すべきパケットがＩＰ音声セッション中に残っているかどうかが判定される。もしそうであれば、手続きは判定ブロック７１へ再び入る。もしそうでなければ、手続きは図４の地点Ａへ進んで、図４の判定ブロック２１へ再び入る。
【００１９】
７１においてインターネット・ホストＩＨ１から受信されるパケットはそれらの目的地および発信地アドレスを７９において変更される。具体的には、それらのパケットの目的地アドレスはインターネット・ホストＩＨのアドレスに変更され、それらのパケットの発信地アドレスはＤＴＥのアドレスに変更される。注意すべき点は、インターネット・ホストＩＨ１から受信されるパケットの目的地アドレスはＧＰＭＳＣ３２のアドレスであったものであり、またそれらのパケットの発信地アドレスはインターネット・ホストＩＨ１のアドレスであったものであるということである。７９においてアドレスが変更された後で、上述のように７５においてパケットは解放される。
【００２０】
理解されるであろうように、ＧＰＭＳＣはＩＰアドレスの翻訳を行う図７のプロキシ・サーバのように働く。図７の７３でアドレスを変更することによって、ＧＰＭＳＣ３２は、インターネット・ホストＩＨからＤＴＥへ送られたパケットを、ＧＰＭＳＣによってインターネット・ホストＩＨ１へ経路変更されることを許容する。７９におけるアドレス変更はインターネット・ホストＩＨ１からＧＰＭＳＣ３２へ送られたパケットをＧＰＭＳＣ３２からインターネット・ホストＩＨへ転送することを許容し、それらがあたかもＤＴＥから発信されたように見せる。このように、７３および７９におけるアドレス・マッピング手続きはＧＰＭＳＣがインターネット・ホストＩＨとインターネット・ホストＩＨ１との間でＩＰ音声セッションを実行することを可能とする。
【００２１】
図８は、移動電話加入者ユニットが図４の２３においてビジーであるか、あるいは移動電話加入者ユニットが図５の５３においてＩＰ音声コールの受け取りを拒否する時の、ＧＰＭＳＣの別の応答例を示す。図８に示される手続きは図４、５、および８にＤと表記されている。図８で、ＧＰＭＳＣはインターネット・ホストＩＨとＧＰＭＳＣとの間で従来のＩＰ音声セッションをセットアップおよび実行し、更に、ＧＰＭＳＣと従来の回線交換（ＣＳ）方式の音声メールボックス（図３参照）との間で従来のＣＳ音声セッションをセットアップおよび実行する。
【００２２】
図８の８１において、ＧＰＭＳＣ３２はインターネット・ホストＩＨから受信したＩＰ音声パケットを回線交換方式の音声信号に翻訳または変換する。ＧＰＭＳＣはＣＳ音声メールボックスへＣＳ音声信号を送信する。８３において、ＧＰＭＳＣ３２はＣＳ音声メールボックスから受信したＣＳ音声信号をＩＰ音声パケットに翻訳または変換し、そのＩＰ音声パケットをインターネット・ホストＩＨへ送信する。手続き８１および８３から理解されるであろうように、ＧＰＭＳＣ３２は図８において従来のＩＰ音声ゲートウェイとして働く。もし８５においてコールが終了しなければ、手続きは戻ってブロック８１へ再び入る。もしコールが８５で終了すれば、手続きは図４の地点Ａへ移動して、図４の判定ブロック２１へ再び入る。
【００２３】
図９は、移動電話加入者ユニットが図４の２３においてビジーであるか、あるいは移動電話加入者ユニットが図５の５３においてＩＰ音声コールの受け取りを拒否する時の、ＧＰＭＳＣ３２の別の応答例を示す。図９の手続きは図４、５、および９にＥと表記されている。図９で、ＧＰＭＳＣ３２はインターネット・ホストＩＨとＧＰＭＳＣとの間のＩＰ音声セッションをセットアップおよび実行し、またＧＰＭＳＣと従来の電話番号との間のＣＳ音声セッションをセットアップおよび実行する（図３参照）。図９の９１および９３における手続きは図８の８１および８３の手続きと類似であり、図９のＣＳ音声セッションは、図８のようなＧＰＭＳＣとＣＳ音声メールボックスとの間よりもむしろ、ＧＰＭＳＣと電話番号との間で実行される。ＧＰＭＳＣ３２と電話番号との間の通信リンク３９は、例えば、ＰＳＴＮまたはＩＳＤＮ通信網や、無線通信網を含むことができる（図１参照）。
【００２４】
図１０は、移動電話加入者ユニットが図５でＩＰ音声コールを受け取るが、ＣＳモードを選ぶ時のＧＰＭＳＣ３２の応答例を示す。図１０の手続きは図５および１０でＧと表記されている。図１０において、ＧＰＭＳＣはインターネット・ホストＩＨとＧＰＭＳＣとの間のＩＰ音声セッションをセットアップおよび実行し、更に、ＧＰＭＳＣと移動電話加入者ユニットＭＳとの間のＣＳ音声セッションをセットアップおよび実行する。図１０に１０１および１０３として示される手続きは、図８に８１および８３として示されるものや図９に９１および９３として示されるものと類似しており、図１０のＣＳ音声セッションはＧＰＭＳＣと移動電話加入者ユニットＭＳとの間で実行される。
【００２５】
このように、図８においてＧＰＭＳＣ３２はインターネット・ホストＩＨとＣＳ音声メールボックスとの間の従来のＩＰ音声ゲートウェイとして働き、また図９ではインターネット・ホストＩＨと電話番号との間の従来のＩＰ音声ゲートウェイとして働き、更に、図１０ではインターネット・ホストＩＨと移動電話加入者ユニットＭＳ／ＤＴＥとの間の従来のＩＰ音声ゲートウェイとして働くことが理解されよう。
【００２６】
以上の説明に従えば、インターネット・ホストＩＨから受信され、移動電話加入者ユニットＭＳおよびＭＳ／ＤＴＥにおけるデータ端末装置ＤＴＥへ向けられるＩＰ音声コールは、ＩＰ音声メールボックス（図６）、あるいは別のインターネット・ホストＩＨ１（図７）へ経路変更することができる。更にＧＰＭＳＣは、インターネット・ホストＩＨと回線交換方式の音声メールボックスとの間（図８）、あるいはインターネット・ホストＩＨと電話番号との間（図９）のＩＰ音声ゲートウェイとして動作することができる。図６−９の各々において、移動電話加入者ユニットへ向けられたＩＰ音声コール中の情報は移動電話加入者ユニット以外の目的地へ経路変更または転送される。図６−９のこれらの経路変更操作は、図４の２３において移動電話加入者ユニットがビジーであるか、あるいは移動電話加入者ユニットが図５の５３においてＩＰ音声コールの受け取りを拒否するときに採用されよう。
【００２７】
移動局が図４の２３においてビジーであることが判定された後で、もし図５のコール待機手続きが実行されれば、移動電話加入者ユニットが５３においてＩＰ音声コールを受け取り拒否する場合には、図６−９の任意の操作を選ぶことができる。もし５３においてＩＰ音声コールが受け取られて、そして移動電話加入者ユニットが回線交換モードを選べば、その時はＧＰＭＳＣ３２は、図１０に示されるように、インターネット・ホストＩＨと移動電話加入者ユニットＭＳ／ＤＴＥとの間のＩＰ音声ゲートウェイとして働く。もしＩＰ音声コールが５５でパケット・モード配信として受け取られれば、ＩＨとＭＳ／ＤＴＥとの間で従来のＩＰ音声セッションがセットアップおよび実行される。
【００２８】
このように本発明は、移動電話加入者ユニットが回線交換方式の音声コールでビジーであっても、パケット交換方式の音声コールの受け取り拒否を望まない場合に、パケット交換方式の音声コールを処理するようになっている。
【００２９】
上述のすべてのＩＰ音声セッションは、ここに参照によって取り込むＩＴＵ−Ｔ（国際電気通信連合の電気通信標準化セクタ）による勧告Ｈ．３２３（１９９６年１１月）に記述されているような良く知られた従来の方法を用いてセットアップされる。上述のすべてのＣＳ音声セッションは、例えばＩＴＵ−Ｔによって公表されたような良く知られた従来の電話技術を用いて容易にセットアップされる。
【００３０】
当業者には明らかなように、図３−１０のＧＰＭＳＣ３２は、１つの例示方式では、図１−２の従来のＧＰＭＳＣにおいてソフトウエアを適当に修正することによって容易に実現できる。その他、従来のＧＰＭＳＣにおいてハードウエアおよびソフトウエアの修正を適当に組み合わせることによってもＧＰＭＳＣ３２を実現することは容易であり、そのことも以上の説明から当業者には明らかであろう。
【００３１】
本発明の例示的な実施の形態について以上のように詳細に説明してきたが、この説明は本発明のスコープを限定するものではない。本発明のスコープは多様な実施の形態として具体化することができる。
【図面の簡単な説明】
【図１】  従来のセルラ電気通信網。
【図２】  図１のＧＰＭＳＣによって実行される動作。
【図３】  本発明に従うＧＰＭＳＣが、回線交換コールでビジーである移動電話加入者ユニット向けのパケット交換方式の音声コールをどのように処理するかを概念的に示すブロック図。
【図４】  図３のＧＰＭＳＣが移動電話加入者ユニット向けのパケット交換方式の音声コールを受信する時の動作。
【図５】  図４で移動電話加入者ユニットがビジーである時のＧＰＭＳＣの応答例。
【図６】  図４で移動電話加入者ユニットがビジーであるか、あるいは図５でコールを受け取り拒否する時のＧＰＭＳＣの応答例。
【図７】  図４で移動電話加入者ユニットがビジーであるか、あるいは図５でコールを受け取り拒否する時のＧＰＭＳＣの別の応答例。
【図８】  図４で移動電話加入者ユニットがビジーであるか、あるいは図５でコールを受け取り拒否する時のＧＰＭＳＣの別の応答例。
【図９】  図４で移動電話加入者ユニットがビジーであるか、あるいは図５でコールを受け取り拒否する時のＧＰＭＳＣの別の応答例。
【図１０】  移動電話加入者ユニットが図５で回線交換モードにおいてコールを受け取る時のＧＰＭＳＣの応答例。
【図１】
0004531975.tif 000002
【図２】
0004531975.tif 000003
【図３】
0004531975.tif 000004
【図４】
0004531975.tif 000005
【図５】
0004531975.tif 000006
【図６】
0004531975.tif 000007
【図７】
0004531975.tif 000008
【図８】
0004531975.tif 000009
【図９】
0004531975.tif 000010
【図１０】
0004531975.tif 000011